(57)【特許請求の範囲】
【請求項１】
水平な底フレーム１Ａと底フレーム１Ａの両側から斜め内側に傾斜して起立する一対の側フレーム１Ｂ、１Ｃからなる開口部巾狭の長尺支持フレーム１と、長尺支持フレーム１内に嵌合されて当該長尺フレーム１とでシートＳを挟持する押えフレーム２と、押えフレーム２上に配置されてこの押えフレーム２を上記長尺支持フレーム１の内壁に押圧する押圧部材３とからなるシートの定着装置において、上記押えフレーム２を底板４と、底板の端部から斜め内側に向けて起立する傾斜片５と、上記傾斜片５上に連設した溝フレーム６とで構成し、更に上記底板４と傾斜フレーム５との間に長手方向に沿う第１の溝７を形成し、同じく上記溝フレーム６の内側に長手方向に沿う第２の溝８を形成したことを特徴とするシートの定着装置。
【請求項２】
底板４が若干への字に折り曲げられて形成され、溝フレーム６が断面コ字状、Ｕ字状、Ｖ字状、Ｃ字状、又はくの字状に形成されている請求項１に記載のシートの定着装置。
【請求項３】
第１の溝７とこの第１の溝７に対向する支持フレーム１の一方の側フレーム１Ｃの内壁との間に弾性な係止線条からなる押圧部材３を嵌合し、押圧部材３の附勢力で押えフレーム２の傾斜片５を他方の側フレーム１Ｂの内壁側に押し当てている請求項１又は２に記載のシートの定着装置。
【請求項４】
第２の溝８とこの第２の溝８に対向する支持フレーム１の一方の側フレーム１Ｃの内壁との間に弾性な止め具９を嵌合し、この止め具９にシート押え用の紐１０又はワイヤを結合させている請求項１、２又は３に記載のシート定着装置。
【発明の詳細な説明】
【技術分野】
【０００１】
本発明はビニールハウスの屋根面、側面又は妻面に展張する透明シートの定着に利用するシートの定着装置に関する。
【背景技術】
【０００２】
この種ビニールハウスにおけるシートの定着装置は開口部巾狭の長尺支持フレームと、この支持フレーム内に嵌合する弾性な係止線条とからなり、支持フレーム内に係止線条でビニールシートを押圧して定着させるものが一般的である。
【０００３】
他方、シートの皺の発生を防止できるように、上記のシートの定着装置を改良したものとして、例えば、特許文献１に示すものが開発されている。
【０００４】
この改良されたシートの定着装置は、開口部巾狭の長尺支持フレームと、長尺支持フレーム内に嵌合されて当該長尺支持フレームとでシートを挾持する押えフレームと、押えフレーム内に嵌合して当該押えフレームを長尺支持フレームの内壁に押圧する押圧部材とからなり、押えフレームを横方向スライド自在に配設した左右一対の両側フレームと、一方の両側フレームの水平底部に長手方向に沿って形成したガイド溝とで構成し、他方の両側フレームの水平底部をガイド溝内に嵌合させたものである。
【０００５】
このシートの定着装置によれば、ガイド溝内に両側フレームの底部をスライド自在に挿入しているから、このガイド溝を介して両側フレームを圧縮方向，拡径方向にスライドでき、通常は圧縮してコンパクトにでき、搬送，格納が容易となる。使用時には押圧部材が両側フレームを拡径方向たる横方向にスライドさせるから各両側フレームと長尺支持フレームとでシートを挾持し、シートのたるみ、シワの発生を防止し、又シートのこすれによる破断を防止する。
【特許文献１】実用新案登録第３０６７４７６号公報（図４、請求項３参照）
【発明の開示】
【発明が解決しようとする課題】
【０００６】
上記特許文献１に示すシートの定着装置では、機能上優れているが、次の点の改善が望まれている。
【０００７】
第１に、上記従来のシートの定着装置は一枚のシートの定着用に開発されている為、二枚のシートを重ねて二重張りにして定着するにはかなり無理がある。  即ち、二枚のシートを重ね張りするには二つのスプリング等の押圧部材が必要であるが、このシートの定着装置は、左右一対の両側フレームを底部で重ねており、特に一方のガイド溝を形成した肉厚な水平底部内に他方の両側フレームの水平底部を挿入しているのでこれら両水平底部が重なった上下方向の肉厚が厚くなり、支持フレーム内のスペースが狭くなり、この支持フレーム内に二つの押圧部材を嵌合させるのが困難である。
【０００８】
第２に、ビニールハウスでは展張したシートの弛み、バタツキ等を防止させる為にシート上に紐、ワイヤ等のバンドを張り巡らせているが、このバンドを引っ掛ける止め具を上記のシートの定着装置を利用する場合もあるが、上記と同じ理由でこの止め具を装着するスペースが狭く、止め具をしっかりと止めづらい不具合がある。
【０００９】
そこで、本発明の目的は、シートの多重張りが可能であり、併せてシートのバタツキ等を防止するバンド取り付けようの止め具の保持にも利用できるビニールハウスのシートの定着装置を提供することである。
【課題を解決するための手段】
【００１０】
上記の目的を達成するため、本発明の手段は、水平な底フレームと底フレームの両側から斜め内側に傾斜して起立する一対の側フレームからなる開口部巾狭の長尺支持フレームと、長尺支持フレーム内に嵌合されて当該長尺フレームとでシートを挟持する押えフレームと、押えフレーム上に配置されてこの押えフレームを上記長尺支持フレームの内壁に押圧する押圧部材とからなるシートの定着装置において、上記押えフレームを底板と、底板の端部から斜め内側に向けて起立する傾斜片と、上記傾斜片上に連設した溝フレームとで構成し、更に上記底板と傾斜フレームとの間に長手方向に沿う第１の溝を形成し、同じく上記溝フレームの内側に長手方向に沿う第２の溝を形成したことを特徴とする。
【００１１】
この場合、底板が若干への字に折り曲げられて形成され、溝フレームが断面コ字状、Ｕ字状、Ｖ字状、Ｃ字状又はくの字状に形成されているのが好ましい。
【００１２】
同じく、第１の溝とこの第１の溝に対向する支持フレームの一方の側フレームの内壁との間に弾性な係止線条からなる押圧部材を嵌合し、押圧部材の附勢力で押えフレームの傾斜片を他方の側フレームの内壁側に押し当てているのが好ましい。
【００１３】
同じく、第２の溝とこの第２の溝に対向する支持フレームの一方の側フレームの内壁との間に弾性な止め具を嵌合し、この止め具にシート押え用の紐又はワイヤを結合させているのが好ましい。
【発明の効果】
【００１４】
本発明によれば次の効果を達成できる。
【００１５】
１  各請求項の発明によれば、押えフレームが一つであり、この押えフレームの底板は一枚であるからこの底板部の上下方向の肉厚が従来に比べて薄くなり、支持フレーム内のスペースを広く出来るから、シートを二枚以上重ね張りする際に二つのスプリング等からなる押圧部材を支持フレーム内に装着でき、併せてシートのバタツキ防止用の紐又はワイヤ止め具も装着できる。
【００１６】
２  同じく、押えフレームには第１の溝と、第２の溝とが形成されているので各溝に押圧部材と、紐又はワイヤのスプリングからなる止め具をそれぞれ嵌合でき、これらの押圧部材および止め具の飛び出しを確実に防止できる。
【００１７】
３  請求項２の発明によれば、底板がへの字状に折り曲げられているので当該底板にばね性が付与され、この底板のばね効果で押えフレーム自体を上方に押し上げつつ傾斜片を支持フレームの内壁に押し付け、支持フレームと押えフレームとでシートを均一に挟持することができる。
【発明を実施するための最良の形態】
【００１８】
以下本発明の実施の一例を図に基づいて説明する。
【００１９】
本発明のシートの定着装置は、図１０に示すように、ビニールハウスＡの屋根面、側面、又は妻面のアーチパイプ等の骨組みＢに取りつかられてシートＳを展張させるものである。
【００２０】
このシートの定着装置はシートＳを一枚定着しても良く、二枚以上多重張りにも使用できる。
【００２１】
又シートＳのバタツキ、弛み防止のために張り巡らした紐１０、ワイヤ等のバンドを引っ掛ける止め具９の取付にも使用している。
【００２２】
本発明に係るシートの定着装置の基本構造は、図１に示すように、水平な底フレーム１Ａと、底フレーム１Ａの両側から斜め内側に傾斜して起立する一対の側フレーム１Ｂ、１Ｃと、側フレーム１Ｂ、１Ｃの上部に連設したカール１Ｄ、１Ｅとからなる開口部巾狭の長尺支持フレーム１と、長尺支持フレーム１内に嵌合されて当該長尺フレーム１とでシートＳを挟持する押えフレーム２と、押えフレーム２上に配置されてこの押えフレーム２を上記長尺支持フレーム１の内壁に押圧する弾性な係止線条等からなる押圧部材３とからなるものである。
【００２３】
そして、図２に示すように上記押えフレーム２は底板４と、底板４の端部から斜め内側に向けて起立する傾斜片５と、上記傾斜片５上に連設した溝フレーム６とで構成され、更に上記底板４と傾斜フレーム５との間に長手方向に沿う第１の溝７を形成し、同じく上記溝フレーム６の内側に長手方向に沿う第２の溝８を形成したことを特徴とする。
【００２４】
この場合、底板４は水平でもよく、又は、中央の屈曲点Ｐと中心にして若干への字に折り曲げられて左右の板片４Ａ，４Ｂに形成されていても良い。
【００２５】
傾斜片５と底板４との連結部であるコーナには彎曲した突起４Ｃを形成してシートＳをガイドさせている。但しこの突片４Ｃは無くても良い。
【００２６】
溝フレーム６は上部の突片８Ａとこれより短く彎曲した突部８Ｂと溝８とで形成されているが、この溝フレーム６は断面Ｕ字状、Ｖ字状であっても良い。
【００２７】
溝フレーム６の外面は彎曲して若干反り返っていてもよく、外面をストレーに成形しても良い。
【００２８】
図１に示す実施の形態は、支持フレーム１内に上下二つの押圧部材たる係止線条３、３を嵌合したものである。
【００２９】
この場合は、予め支持フレーム１と下側の係止線条３とで一枚のシートＳを定着してシートＳを展張している既設のビニールハウスに他の上方のシートＳを重ね張りするときに使用するものである。
【００３０】
この場合は既設した支持フレーム１と係止線条３の上方に先ず二枚目のシートＳを嵌合し、次いで、このシートＳの上に順次押えフレーム２と上方の係止線条３とを嵌合させ、二枚目のシートＳを支持フレーム１と押えフレーム２とで挟持し、最後に紐１０を止める止め具９を嵌合させるものである。
【００３１】
上記図１の実施の形態では、係止線条３、３上下二つ嵌合させているが、上方の係止線条３のみを使用しても良い。
【００３２】
この場合は、支持フレーム１内に一枚又は二枚のシートＳ、Ｓを嵌合し、このシートＳ、Ｓの上に押えフレーム２を嵌合し、更に押えフレー２の上に公知の弾性なスプリングからなる係止線条３を嵌合させ、更に、この係止線条３の上方に止め具９を嵌合させるものである。
【００３３】
即ち、第１の溝７とこの第１の溝７に対向する支持フレーム１の右方の側フレーム１Ｃにおける内壁面１Ｇとの間に係止線条３を嵌合し、係止線条３の附勢力で押えフレーム２の傾斜片５を左方の側フレーム１Ｂの内壁面側に押し当てている。この時押えフレーム２の底板４はそのばね力で傾斜片５に挟持力を付加し、同時に係止線条３を押し上げて傾斜片５に密接させている。
【００３４】
更に、第２の溝８とこの第２の溝８に対向する支持フレーム１の右方の側フレーム１Ｃにおける内壁１Ｇとの間に弾性な止め具９を嵌合し、この止め具９にシート押え用の紐１０又はワイヤを結合させている。
【００３５】
その結果、図１の左側では、シートＳ、Ｓが突起４Ｃで支持されながら支持フレーム１における左方の側フレーム１Ｂの内壁面と押えフレーム２における傾斜片５の外周面とで挟持され、さらに左側のカール１Ｄを介して外部に延びて展張されている。更に止め具９で支持された紐１０又はワイヤは展張されたシートＳに当接して当該シートＳのバタツキを防止する。
【００３６】
尚、図１の右側ではシートＳ、Ｓが右側の側フレーム１Ｃの内壁面と係止線条３とで公知のように挟持されている。
【００３７】
図１の実施の形態では、シートＳ、Ｓを二枚嵌合させることによりシートＳ、Ｓを重ね張りし、シートＳ、Ｓの間に空気層を形成して断熱、保温効果を向上させているが、このシートＳは一枚でも使用可能である。
【００３８】
紐１０等の止め具９は図７に示すように、線材を台形に折り曲げたスプリングからなる止め具本体９Ａと、止め具本体９Ａの一端に連設したカール部９Ｃと、カール部９Ｃから延びるＵ字状の紐結合部９Ｂとで構成され、止め具本体９Ａの水平部を右方の側フレーム１Ｃの内壁１Ｇに嵌合させ、カール部９Ｃを溝フレーム６の溝８に引っ掛けている。
【００３９】
その結果、止め具９のカール部９Ｃが溝フレーム６を支持フレーム１の左方の側フレーム１Ｂ側に押し込み、止め具本体９Ａは溝フレーム６と側フレーム１Ｃとの間で弾性的に挟持されて抜けなくなる。
【００４０】
図３〜８は本発明の他の実施の形態を示す。
【００４１】
これらの実施の形態は図１の実施の形態における溝フレーム６の形状を若干変更し、止め具９の取付位置を図３において右側に変更したもので、その他の構造、作用効果は図１の実施の形態と同じである。
【００４２】
即ち、図３〜図８の実施の形態は溝フレーム６を断面コ字状に形成し、止め具９のカール部９Ｃを右方の側フレーム１Ｃに引っ掛けている。
【００４３】
溝フレーム６の背面は図３〜図７に示すように反り返って彎曲していても良く、図８に示すようにストレートでも良い。
【００４４】
図３、図７に示す実施の形態は一つの係止線条３からなる押圧部材を嵌合したものである。この場合のシートの定着工程、作用、効果は上記図１の実施の形態と同じである。
【００４５】
即ち、支持フレーム１内に一枚又は二枚のシートＳ、Ｓを嵌合し、このシートＳ、Ｓの上に押えフレーム２を嵌合し、更に押えフレー２の上に公知の弾性なスプリングからなる係止線条３を嵌合させ、更に、この係止線条３の上方に止め具９を嵌合させるものである。
【００４６】
第１の溝７とこの第１の溝７に対向する支持フレーム１の右方の側フレーム１Ｃにおける内壁面１Ｇとの間に係止線条３からなる押圧部材を嵌合し、係止線条３の附勢力で押えフレーム２の傾斜片５を左方の側フレーム１Ｂの内壁面側に押し当てている。この時押えフレーム２の底板４はそのばね力で傾斜片５に挟持力を付加し、同時に係止線条３を押し上げて傾斜片５に密接させている。
【００４７】
更に、第２の溝８とこの第２の溝８に対向する支持フレーム１の右方の側フレーム１Ｃにおける内壁１Ｇとの間に弾性な止め具９を嵌合し、この止め具９にシート押え用の紐１０又はワイヤを結合させている。
【００４８】
その結果、図３の左側では、シートＳ、Ｓが突起４Ｃで支持されながら支持フレーム１における左方の側フレーム１Ｂの内壁面と押えフレーム２における傾斜片５の外周面とで挟持され、さらに左側のカール１Ｄを介して外部に延びて展張されている。更に止め具９で支持された紐１０又はワイヤは展張されたシートＳに当接して当該シートＳのバタツキを防止する。
【００４９】
尚、図３の右側ではシートＳ、Ｓが右側の側フレーム１Ｃの内壁面と係止線条３とで公知のように挟持されている。
【００５０】
図４、図８、図９の実施の形態では、係止線条３、３を上下二つ嵌合させて使用した例を示し、作用効果は図１の実施の形態と同じである。
【００５１】
更に、図９は本発明の他の実施の形態を示す。
【００５２】
これは、特に溝フレーム６の形状を変更し、図３等に示す突片４Ｃを廃止したものである。
【００５３】
溝フレーム６は上記の各実施の形態に比べて、突部８Ｂをなだらかに彎曲させ、背面を凸面状に形成し、溝８を凹面状に形成して全体を断面Ｃ字状又はくの字状に形成しているものである。
【００５４】
この溝フレーム６では溝８と突片８Ａとで止め具９の抜けを防止し、併せて突片８Ａの彎曲した外周でシートＳをスムースにガイドし、且つ彎曲した突片８Ｂで係止線条３を上方からスムースに溝７内に滑りこませることが出来る。
【図面の簡単な説明】
【００５５】
【図１】本発明の一実施の形態に係るシートの定着装置の縦断正面図である。
【図２】図１の実施の形態における押えフレームの斜視図である。
【図３】他の実施の形態に係るシートの定着装置の縦断正面図である。
【図４】本発明の一実施の形態に押えフレーム正面図である。
【図５】図３の実施の形態における押えフレームの斜視図である。
【図６】図３の斜視図である。
【図７】他の実施の形態に係るシートの定着装置の縦断正面図である。
【図８】他の実施の形態に係るシートの定着装置の縦断正面図である。
【図９】他の実施の形態に係るシートの定着装置の縦断正面図である。
【図１０】シートの定着装置を利用してシートを展張したビニールハウスの一部切り欠き斜視図である。
【符号の説明】
【００５６】
１      支持フレーム
１Ａ    底フレーム
１Ｂ    側フレーム
２      押えフレーム
３      係止線条（押圧部材）
４      底板
５      傾斜片
６      溝フレーム
７      第１の溝
８      第２の溝
９      止め具
１０    紐
Ｓ      シート
【図１】
0004883713.tif 000002
【図２】
0004883713.tif 000003
【図３】
0004883713.tif 000004
【図４】
0004883713.tif 000005
【図５】
0004883713.tif 000006
【図６】
0004883713.tif 000007
【図７】
0004883713.tif 000008
【図８】
0004883713.tif 000009
【図９】
0004883713.tif 000010
【図１０】
0004883713.tif 000011